(57)【要約】【課題】視聴覚障害者が映画や演劇、コンサート等の鑑賞をする際の補助を障害の程度に応じて実行することができるコンテンツ再生システムを提供する。【解決手段】映画等を鑑賞する観察者の障害の種類やレベルに応じたナレーション、テロップを、映像に同期させてスピーカ３５２，３５３やメインディスプレイ３３２に出力させる。【選択図】図１
2011101196.tif 000002
【特許請求の範囲】
【請求項１】
画像、音声を含む主コンテンツを鑑賞する人の頭部に装着される出力手段と、
前記出力手段に、前記主コンテンツに関連する画像、音声を含む副コンテンツを、前記主コンテンツの進行に同期させて出力させる副コンテンツ出力制御手段と
を備えていることを特徴とするコンテンツ再生システム。
【請求項２】
前記副コンテンツ出力制御手段の制御内容を設定する設定手段を備えていることを特徴とする請求項１記載のコンテンツ再生システム。
【請求項３】
前記設定手段は、前記主コンテンツ開始前に前記制御内容を対話方式で設定可能であることを特徴とする請求項２記載のコンテンツ再生システム。
【請求項４】
前記副コンテンツに複数の副コンテンツが含まれ、前記設定手段は、前記複数のコンテンツの中から任意の副コンテンツを選択可能であることを特徴とする請求項２又は３記載のコンテンツ再生システム。
【発明の詳細な説明】
【技術分野】
【０００１】
この発明はコンテンツ再生システムに関する。
【背景技術】
【０００２】
従来、表示部の位置や姿勢を変えることができるヘッドマウントディスプレイが知られている（下記特許文献参照）。
【先行技術文献】
【特許文献】
【０００３】
【特許文献１】特開２００４−２３６１０２号公報
【発明の概要】
【発明が解決しようとする課題】
【０００４】
上記ヘッドマウントディスプレイを、視聴覚障害者が映画や演劇、コンサート等の鑑賞の補助機器として使う場合、障害の程度は人によってまちまちであるため、総ての視聴覚障害の要求に応えることは困難であった。
【０００５】
この発明はこのような事情に鑑みてなされたもので、その課題は視聴覚障害者が映画や演劇、コンサート等の鑑賞をする際の補助を障害の程度に応じて実行することができるコンテンツ再生システムを提供することである。
【課題を解決するための手段】
【０００６】
上記課題を解決するため請求項１記載の発明は、画像、音声を含む主コンテンツを鑑賞する人の頭部に装着される出力手段と、前記出力手段に、前記主コンテンツに関連する画像、音声を含む副コンテンツを、前記主コンテンツの進行に同期させて出力させる副コンテンツ出力制御手段とを備えていることを特徴とする。
【０００７】
請求項２記載の発明は、請求項１記載のコンテンツ再生システムにおいて、前記副コンテンツ出力制御手段の制御内容を設定する設定手段を備えていることを特徴とする。
【０００８】
請求項３記載の発明は、請求項２記載のコンテンツ再生システムにおいて、前記設定手段は、前記主コンテンツ開始前に前記制御内容を対話方式で設定可能であることを特徴とする。
【０００９】
請求項４記載の発明は、請求項２又は３記載のコンテンツ再生システムにおいて、前記副コンテンツに複数の副コンテンツが含まれ、前記設定手段は、前記複数のコンテンツの中から任意の副コンテンツを選択可能であることを特徴とする。
【発明の効果】
【００１０】
以上に説明したようにこの発明によれば、視聴覚障害者が映画や演劇、コンサート等の鑑賞をする際の補助を障害の程度に応じて実行することができる。
【図面の簡単な説明】
【００１１】
【図１】図１はこの発明の一実施形態に係るコンテンツ再生システムのブロック図である。
【図２】図２（ａ）はＨＭＤ装置を頭部に装着した状態を示す正面図、図２（ｂ）はその側面図である。
【図３】図３は副コンテンツを設定する際のメニュ画面の一例を示す概念図である。
【図４】図４はボリュームコントローラによる音量調整方法を説明するための概念図である。
【発明を実施するための形態】
【００１２】
以下、この発明の実施の形態を図面に基づいて説明する。
【００１３】
図１はこの発明の一実施形態に係るコンテンツ再生システムのブロック図である。
【００１４】
コンテンツ再生システム１は、映画等の主コンテンツ及びこのコンテンツに関連する画像や音声を含む副コンテンツを配信するサーバ１０と、無線ＬＡＮポイント２０を介して配信された主、副コンテンツを再生するヘッドマウントディスプレイ装置（出力手段、以下ＨＭＤ装置という）３０とを備える。
【００１５】
副コンテンツには、例えば聴覚や視覚に障害を持つ人のためのテロップ（字幕）やナレーション等が含まれる。
【００１６】
サーバ１０は内部記憶装置や外部記憶装置で構成されている。
【００１７】
無線ＬＡＮポイント２０はＨＭＤ装置３０から近接無線通信によってサーバ１０にアクセスするための無線ＬＡＮのアクセスポイントである。無線ＬＡＮ通信方式としては、例えば無線ＬＡＮポイント２０を介してインターネット通信を行うことができるＷｉＦｉ通信方式が使用される。
【００１８】
サーバ１０にはＷｉＦｉ通信方式に好適なサイズのコンテンツが記憶されている。無線ＬＡＮポイント２０はサーバ１０に有線で接続されている。
【００１９】
ＨＭＤ装置３０は、ＨＭＤ装置３０の全体の動作を制御する中央制御ユニット（以下ＣＰＵという）３００を備えている。また、ＣＰＵ３００は副コンテンツを主コンテンツに同期させて出力させる副コンテンツ出力制御手段として機能する。ＣＰＵ３００にはメモリ３０１、記憶装置３０２が接続されており、記憶装置３０２に記憶された制御プログラムに基づいてＨＭＤ装置３０の動作が制御される。メモリ３０１は例えば半導体メモリ（フラッシュメモリ、メモリカード等）であり、記憶装置は例えばハードディスク、光ディスク等である。また、メモリ３０１にはサーバ１０やＰＣ４０から配信されたコンテンツが記憶される。
【００２０】
また、ＨＭＤ装置３０は、サーバ１０と無線通信を行うためのＷｉＦｉアンテナ３１１と、無線ＬＡＮポイント２０から送信され、ＷｉＦｉアンテナ３１１で受信したコンテンツデータを管理するＷｉＦｉコントローラ３１２とを備えている。ＷｉＦｉアンテナ３１１で受信したコンテンツデータはＣＰＵ３００に供給される。
【００２１】
更に、ＨＭＤ装置３０は、操作スイッチ３２１、ボリュームスイッチ３２２で構成される操作部（設定手段）３２０と、操作部３２０による指示をＣＰＵ３００に供給するインタフェースドライバ（Ｉ／Ｆドライバ）３２５とを備えている。ユーザは操作部３２０を操作してＣＰＵ３００の制御内容（副コンテンツの種類、再生態様等）を設定することができる。また、ユーザは制御内容をメインディスプレイ３３２の画面上の文章やスピーカ３５２，３５３からの音声による質問に答える方法（対話方式）で設定することができる。更に、ユーザは操作スイッチ３２１を操作することにより、例えばメモリ３０１に記憶された主コンテンツを再生したり、副コンテンツを視聴したりすることができる。
【００２２】
また、ＨＭＤ装置３０は、ＣＰＵ３００の指示に基づいて各種情報や映像の表示制御を行うＬＣＤドライバ３３１と、ＬＣＤドライバ３３１で制御された映像を表示させるメインディスプレイ３３２とを備えている。メインディスプレイ３３２は液晶表示パネル（ＬＣＤ）を有する。
【００２３】
更に、ＨＭＤ装置３０はＵＳＢコネクタ３４１を備えている。ＵＳＢコネクタ３４１はパーソナルコンピュータ（以下ＰＣという）４０とＵＳＢコントローラ３４２とを接続するものである。ＵＳＢコントローラ３４２はデジタルインタフェース（デジタルＩ／Ｆ）によるコンテンツデータの転送を管理する。ＵＳＢコントローラ３４２が受け付けたコンテンツデータがＣＰＵ３００に供給される。
【００２４】
更に、ＨＭＤ装置３０は、Ｄ／Ａ変換器３５１を介してＣＰＵ３００に接続されたスピーカ３５２，３５３を備え、Ｄ／Ａ変換器３５１でデジタル信号をアナログ信号に変換し、ボリュームコントローラ３２２（図２参照）で設定された音量に応じた信号をスピーカ３５２，３５３に送る。
【００２５】
図２（ａ）はＨＭＤ装置３０を頭部Ｈに装着した状態を示す正面図、図２（ｂ）はその側面図である。
【００２６】
ＨＭＤ装置３０はヘッドバンド３７０とフロントアーム３８０とメインディスプレイ３９０とを備える。
【００２７】
ヘッドバンド３７０は円弧状であり、ユーザの頭部Ｈに装着される。ヘッドバンド３７０の両端部にスピーカ３５２，３５３が取り付けられている。スピーカ３５２，３５３はヘッドバンド３７０の弾力によって側頭部（両耳の周辺）に保持されている。
【００２８】
また、ヘッドバンド３７０の一端部には操作スイッチ３２１とボリュームコントローラ３２２とが設けられている。
【００２９】
フロントアーム３８０の先端部にメインディスプレイ３９０が設けられている。メインディスプレイ３９０はユーザの眼Ｅの前方に配置されている。
【００３０】
次に、コンテンツ再生システム１の使用法を説明する。
【００３１】
主、副コンテンツの視聴方法には、ＰＣ４０等からデジタルＩ／Ｆを介してＨＭＤ装置３０内のメモリ３０１にコンテンツデータを転送して記憶した上で再生を行う方法（以下第１の方法という）と、ＷｉＦｉ通信方式の無線通信によりサーバ１０からストリーミングによってコンテンツデータを配信して再生を行う方法（以下第２の方法という）とがある。副コンテンツのテロップやナレーションを再生するとき、リアルタイムに進行する映画や演劇、コンサート等の主コンテンツに対して同期をとる必要があるが、上記いずれの方法を採用するかは主コンテンツの性格によって異なる。例えば、映画のようにシーケンスが固定された主コンテンツ（固定コンテンツ）の再生においては、ユーザの補助のための副コンテンツの時間軸を固定できるので、上述の第１の方法を採用することができる。この方法を採用したときには、副コンテンツ（例えばテロップ）の再生開始を主コンテンツの映画の再生開始に合わせればよい。例えば映画を上映する主催者がＷｉＦｉ通信やＩｒリモコン等の遠隔操作手段を用いて副コンテンツの再生を開始すればよい。
【００３２】
また、演劇やコンサート等のようにシーケンスが変動する主コンテンツ（可変シーケンス）では、その主コンテンツの演劇やコンサートの進行に同期させて副コンテンツを再生させる必要があるため、上述の第２の方法を採用し、副コンテンツを出力するタイミングを主コンテンツの進行に応じて変えればよい。
【００３３】
上記第１、第２の方法においてもＨＭＤ装置３０を頭部Ｈに装着した後に、ユーザの障害レベルに応じて副コンテンツの種類、再生態様が設定される。
【００３４】
副コンテンツには障害のレベルに応じて、例えば以下のような態様があると考えられる。
・視覚障害（軽度の場合）：ナレーション、テロップ（大きめの字幕）
・視覚障害（重度の場合）：ナレーション
・聴覚障害（軽度の場合）：補助音声（補聴）
・聴覚障害（重度の場合）：テロップ
・老人性難聴：補助音声（背景の雑音を減らし、主音声を強調）
【００３５】
上述の設定は、例えば図３に示すように、複数の副コンテンツをＴＶのチャンネルのように用意して、その中から所望の副コンテンツをユーザに選択させることで行われる。
【００３６】
図３は副コンテンツを設定する際のメニュ画面の一例を示す概念図である。
【００３７】
ユーザの眼Ｅの前方に配置されたメインディスプレイ３３２には、チャンネル（３ｃｈ、９ｃｈ等）、字幕表示の有無、補助音声の有無に関する説明が表示され、スピーカ３５２，３５３から「４チャンネル、ジマクヒョウジアリ、オオキナモジデヒョウジシマス、ホジョオンセイナシ、ジョウゲボタンデベツノホジョセッテイガカノウデス」や「９チャンネル、ジマクヒョウジナシ、ホジョオンセイアリ、ジョウゲボタンデベツノホジョセッテイガカノウデス」という音声によるガイダンスが出力されている。ここに「ホジョセッテイ」とは副コンテンツの設定のことを指す。なお、図３中に、ガイダンスの音声がそれぞれ吹き出し中の台詞として表示されている。
【００３８】
ユーザは上記説明を見たり、ガイダンスを聞いたりして、自分の障害の程度に応じた所望の副コンテンツを設定する。
【００３９】
また、副コンテンツとして音声（ナレーション）を選択したときには、ボリュームコントローラ３２２を操作して音量を増減することができる。このボリュームコントローラ３２２の音量の調整方法が視覚的に理解しやすいように、例えばメインディスプレイ３３２の画面には現在の音量を示す画像が表示される（図４）。
【００４０】
図４はボリュームコントローラ３２２による音量調整方法を説明するための概念図である。
【００４１】
メインディスプレイ３３２には、「Ｖｏｌｕｍｅ  ｃｏｎｔｒｏｌ」の文字とボリュームコントローラ３２２に位置と現在の音量を示す画像とが表示されている。スピーカ３５２，３５３から「ボリュームハソウチヒダリシタノスイッチデコントロールデキマス」という音声によるガイダンスが出力されている。なお、図４中に、ガイダンスの音声が吹き出し中に台詞として表示されている。
【００４２】
なお、映画等の主コンテンツが開始されると、ユーザが操作スイッチ３２１を操作することによって副コンテンツの再生も開始されるが、再生開始後であっても、ユーザは操作スイッチ３２１を操作することによって副コンテンツの再設定を行うことができる。再設定時にはそれまで再生されていた副コンテンツの再生は停止し、設定が完了した後に新たな副コンテンツが再生されることになるが、ユーザが鑑賞している主コンテンツとの同期をとるため、再設定は以下の手順で行われる。
１．ＨＭＤ装置３０からサーバ１０へ主コンテンツの開始からの経過時間を問い合わせる（ＷｉＦｉ通信方式の無線通信による問い合わせ）
２．経過時間に合わせて副コンテンツの再生開始場所を設定する
３．副コンテンツの再生を開始する
【００４３】
上記１．の処理は上述の第１の方法を実行する上で必須の処理であり、サーバ１０には映画等の主コンテンツ開始からの経過時間を記録する記録手段が必要になる。なお、上述の第２の方法では、サーバ１０側で同期と再生とを制御できるため、上記１．の処理は不要になる。
【００４４】
また、ＨＭＤ装置３０を映画館やイベント会場で障害者に貸し出す場合、使用開始時に前述の副コンテンツの設定を利用者自身が行うことが考えられるが、例えば利用者である障害者が事前に障害レベルや要望を主催者側に申告しておき、主催者又はＨＭＤ装置を貸し出す者が申告に基づいて利用者に代わって予め副コンテンツの設定を行うようにすることもできる。
【００４５】
更に、障害者自身が所有するＨＭＤ装置３０を、本実施形態のコンテンツ再生システムによるサービスを行っている映画館やイベント会場に持ち込んだ場合においても、その場で貸し出しているＨＭＤ装置３０と同様のサービスの提供を受けることができる。
【００４６】
この実施形態によれば、視聴覚障害者が映画や演劇、コンサート等を鑑賞する際の補助を障害の程度に応じて実行することができる。
【符号の説明】
【００４７】
１：コンテンツ再生システム、１０：サーバ、３０：ヘッドマウントディスプレイ装置（出力手段）、３００：ＣＰＵ（副コンテンツ出力制御手段）、３２０：操作部（設定手段）。
【図１】
2011101196.tif 000003
【図２】
2011101196.tif 000004
【図３】
2011101196.tif 000005
【図４】
2011101196.tif 000006